(57)【要約】【課題】  背面側の被写体を撮影時は、それに連動して背面側の周囲音声を通信相手に伝えることが出来るカメラ付携帯電話機を提供する。【解決手段】  携帯端末の制御部２０１は、あらかじめ定められた情報であるカメラ設定情報が正面側を示している場合は、第１のカメラ２の出力する画像データと第１のマイク３の出力する音声アナログ信号を符号化して無線部２０５を介して無線出力し、カメラ設定情報が背面側を示している場合は、第２のカメラ１１の出力する画像データと第２のマイク１２の出力する音声アナログ信号を符号化して無線部２０５を介して無線出力する。【選択図】      図２
2005311953.tif 000002
【特許請求の範囲】
【請求項１】
正面に第１のカメラと第１のマイクを備え、背面に第２のカメラと第２のマイクを備えた携帯端末におけるカメラ制御方法であって、前記第１のカメラが選択された場合、前記第１のカメラの出力する画像データと前記第１のマイクの出力する音声アナログ信号を無線出力し、前記第２のカメラが選択された場合、前記第２のカメラの出力する画像データと前記第２のマイクの出力する音声アナログ信号を無線出力することを特徴とするカメラ付携帯端末におけるカメラ制御方法。
【請求項２】
前記携帯端末はカメラ設定情報とマイク設定情報を有し、前記カメラ設定情報が正面側を示している場合は前記第１のカメラの出力する画像データを選択し、前記カメラ設定情報が背面側を示している場合は前記第２のカメラの出力する画像データを選択し、前記マイク設定情報が正面側を示している場合は前記第１のマイクの出力する音声アナログ信号を選択し、前記マイク設定情報が背面側を示している場合は前記第２のマイクの出力する音声アナログ信号を選択し、選択された前記画像データ及び前記音声アナログ信号を無線出力することを特徴とする請求項１記載のカメラ付携帯端末におけるカメラ制御方法。
【請求項３】
前記携帯端末は前記正面に第１のライトを備え、前記背面に第２のライトを備え、前記第１のカメラが選択された場合は前記第１のライトを点灯させ、前記第２のカメラが選択された場合は前記第２のライトを点灯させることを特徴とする請求項１記載のカメラ付携帯端末におけるカメラ制御方法。
【請求項４】
前記第１のカメラが取り込んだ画像のディジタル信号処理を行う第１のＤＳＰと前記第２のカメラが取り込んだ画像のディジタル信号処理を行う第２のＤＳＰとを備え、前記携帯端末は、前記第１のＤＳＰを介して前記第１のカメラが取り込んだ画像の前記画像データを取得し、前記第２のＤＳＰを介して前記第２のカメラが取り込んだ画像の前記画像データを取得することを特徴とする請求項１又は２又は３記載のカメラ付携帯端末におけるカメラ制御方法。
【請求項５】
前記携帯端末はカメラ設定情報に基づいて前記第１または第２のカメラを選択することを特徴とする請求項１記載のカメラ付携帯端末におけるカメラ制御方法。
【請求項６】
前記カメラ設定情報及び前記マイク設定情報は、前記携帯端末のメモリに設定されていることを特徴とする請求項２記載のカメラ付携帯端末におけるカメラ制御方法。
【請求項７】
前記第１のカメラが選択された場合は前記第１のＤＳＰと前記第１のカメラを起動して前記第２のＤＳＰと前記第２のカメラを起動せず、前記第２のカメラが選択された場合は前記第２のＤＳＰと前記第２のカメラを起動して前記第１のＤＳＰと前記第１のカメラを起動しないことを特徴とする請求項４記載のカメラ付携帯端末におけるカメラ制御方法。
【請求項８】
前記第１のＤＳＰと前記第２のＤＳＰは、同一のＤＳＰであることを特徴とする請求項４記載のカメラ付携帯端末におけるカメラ制御方法。
【請求項９】
前記第１のＤＳＰは、前記第１のカメラが取り込んだ画像のミラー処理を行うことを特徴とする請求項４記載のカメラ付携帯端末におけるカメラ制御方法。
【請求項１０】
正面に第１のカメラと第１のマイクを備え、背面に第２のカメラと第２のマイクを備えた携帯端末にあって、前記第１のカメラが選択された場合は前記第１のカメラの出力する画像データと前記第１のマイクの出力する音声アナログ信号を選択し前記第２のカメラが選択された場合は前記第２のカメラの出力する画像データと前記第２のマイクの出力する音声アナログ信号を選択するデータ選択手段と、選択された前記画像データ及び前記音声アナログ信号を無線出力する送信手段とを含んで構成されることを特徴とするカメラ付携帯端末。
【請求項１１】
前記携帯端末はカメラ設定情報とマイク設定情報を有し、前記データ選択手段は、前記カメラ設定情報が正面側を示している場合は前記第１のカメラの出力する画像データを選択し前記カメラ設定情報が背面側を示している場合は前記第２のカメラの出力する画像データを選択し前記マイク設定情報が正面側を示している場合は前記第１のマイクの出力する音声アナログ信号を選択し前記マイク設定情報が背面側を示している場合は前記第２のマイクの出力する音声アナログ信号を選択することを特徴とする請求項１０記載のカメラ付携帯端末。
【請求項１２】
前記携帯端末は前記正面に第１のライトを備え、前記背面に第２のライトを備え、前記携帯端末の制御部は、前記第１のカメラが選択された場合は前記第１のライトを点灯させ前記第２のカメラが選択された場合は前記第２のライトを点灯させるライト点灯手段とを含んで構成されることを特徴とする請求項１０記載のカメラ付携帯端末。
【請求項１３】
前記第１のカメラが取り込んだ画像のディジタル信号処理を行う第１のＤＳＰと前記第２のカメラが取り込んだ画像のディジタル信号処理を行う第２のＤＳＰとを備え、前記データ選択手段は、前記第１のＤＳＰを介して前記第１のカメラが取り込んだ画像の前記画像データを取得し、前記第２のＤＳＰを介して前記第２のカメラが取り込んだ画像の前記画像データを取得することを特徴とする請求項１０又は１１又は１２記載のカメラ付携帯端末。
【請求項１４】
前記携帯端末は、カメラ設定情報を設定する手段を有し、前記カメラ設定情報に基づいて前記第１または第２のカメラが選択されることを特徴とする請求項１０記載のカメラ付携帯端末。
【請求項１５】
前記カメラ設定情報及び前記マイク設定情報は、前記携帯端末のメモリに設定されていることを特徴とする請求項１１記載のカメラ付携帯端末。
【請求項１６】
前記第１のカメラが選択された場合は前記第１のＤＳＰと前記第１のカメラを起動して前記第２のＤＳＰと前記第２のカメラを起動せず、前記第２のカメラが選択された場合は前記第２のＤＳＰと前記第２のカメラを起動して前記第１のＤＳＰと前記第１のカメラを起動しない電源制御手段を有することを特徴とする請求項１３記載のカメラ付携帯端末。
【請求項１７】
前記第１のＤＳＰと前記第２のＤＳＰは、同一のＤＳＰであることを特徴とする請求項１３記載のカメラ付携帯端末。
【請求項１８】
前記第１のＤＳＰは、前記第１のカメラが取り込んだ画像のミラー処理を行うことを特徴とする請求項１３記載のカメラ付携帯端末。
【発明の詳細な説明】
【技術分野】
【０００１】
本発明はカメラ付携帯端末におけるカメラ制御方法及びカメラ付携帯端末に関し、特に、カメラ及びマイクを正面側と背面側の２系統搭載したカメラ付携帯端末におけるカメラ制御方法及びカメラ付携帯端末に関する。
【背景技術】
【０００２】
最近の携帯電話機は、カメラを実装し動画撮影や静止画撮影の機能を搭載している。そして、これらの機能は、ＴＶ電話や、画像のメール添付機能などに大いに利用されている。
【０００３】
通常、携帯電話機に実装されているカメラ及びマイクは、１系統であり、携帯電話機の内側（表示部側）に設置されている。この場合、被写体がユーザー自身である場合は、撮影画像を表示部でユーザーが確認しながら撮影できるため不都合はない。しかし、被写体がユーザー自身ではない場合、例えば遠方の被写体や風景などを撮影する場合は、カメラの向きを自由に変えられる可動式の機構が必要となる。この可動式の機構を実現するためには、複雑な機構が必要である。
【０００４】
そのため、近距離撮影用のカメラモジュールと遠距離撮影用のカメラモジュールを携帯電話機本体の筐体内に互いに背合わせの位置関係にして固定設置する方法が考案されている（例えば、特許文献１参照。）。
【０００５】
この方法では、正面側のカメラモジュールを選択して使用する場合は、ユーザー自身を撮影しながらテレビ電話をする。また、背面側のカメラモジュールを選択して使用する場合は、遠方の被写体や風景などを撮影しながらテレビ電話を行える。
【０００６】
【特許文献１】特開２００３−６０７６５号公報
【発明の開示】
【発明が解決しようとする課題】
【０００７】
上述した特開２００３−６０７６５号公報による方法では、カメラの向きを変えることなく、正面側と背面側の被写体を自由に切り換えてテレビ電話を行える。しかし音声については、正面側のマイクからの入力しか行えず、その結果、面側の状況の音や声を通信相手に伝えることが出来ないという問題があった。
【０００８】
本発明の目的は、正面側と背面側の両面にカメラを設置した携帯電話機にあって、背面側の周囲音声を通信相手に伝えることが出来るカメラ付携帯電話機を提供することにある。そのために、背面側にもマイクを設置し、背面側の被写体を撮影時は、それに連動して背面側の周囲音声を通信相手に伝えることが出来る構成とする。
【課題を解決するための手段】
【０００９】
第１の発明は、正面に第１のカメラと第１のマイクを備え、背面に第２のカメラと第２のマイクを備えた携帯端末におけるカメラ制御方法であって、前記第１のカメラが選択された場合、前記第１のカメラの出力する画像データと前記第１のマイクの出力する音声アナログ信号を無線出力し、前記第２のカメラが選択された場合、前記第２のカメラの出力する画像データと前記第２のマイクの出力する音声アナログ信号を無線出力することを特徴とする。
【００１０】
第２の発明は、第１の発明の前記携帯端末はカメラ設定情報とマイク設定情報を有し、前記携帯端末の前記制御部は、前記カメラ設定情報が正面側を示している場合は前記第１のカメラの出力する画像データを選択し、前記カメラ設定情報が背面側を示している場合は前記第２のカメラの出力する画像データを選択し、前記マイク設定情報が正面側を示している場合は前記第１のマイクの出力する音声アナログ信号を選択し、前記マイク設定情報が背面側を示している場合は前記第２のマイクの出力する音声アナログ信号を選択し、選択された前記画像データ及び前記音声アナログ信号を無線出力することを特徴とする。
【００１１】
第３の発明は、第１の発明の前記携帯端末は前記正面に第１のライトを備え、前記背面に第２のライトを備え、前記第１のカメラが選択された場合は前記第１のライトを点灯させ、前記第２のカメラが選択された場合は前記第２のライトを点灯させることを特徴とする。
【００１２】
第４の発明は、第１又は２又は３の発明にあって、前記第１のカメラが取り込んだ画像のディジタル信号処理を行う第１のＤＳＰと前記第２のカメラが取り込んだ画像のディジタル信号処理を行う第２のＤＳＰとを備え、前記携帯端末は、前記第１のＤＳＰを介して前記第１のカメラが取り込んだ画像の前記画像データを取得し、前記第２のＤＳＰを介して前記第２のカメラが取り込んだ画像の前記画像データを取得することを特徴とする。
【００１３】
第５の発明は、第１の発明の前記携帯端末はカメラ設定情報に基づいて前記第１または第２のカメラを選択することを特徴とする。
【００１４】
第６の発明は、第２の発明の前記カメラ設定情報及び前記マイク設定情報は、前記携帯端末のメモリに設定されていることを特徴とする。
【００１５】
第７の発明は、第４の発明にあって、前記第１のカメラが選択された場合は前記第１のＤＳＰと前記第１のカメラを起動して前記第２のＤＳＰと前記第２のカメラを起動せず、前記第２のカメラが選択された場合は前記第２のＤＳＰと前記第２のカメラを起動して前記第１のＤＳＰと前記第１のカメラを起動しないことを特徴とする。
【００１６】
第８の発明は、第４の発明の前記第１のＤＳＰと前記第２のＤＳＰは、同一のＤＳＰであることを特徴とする。
【００１７】
第９の発明は、第４の発明の前記第１のＤＳＰは、前記第１のカメラが取り込んだ画像のミラー処理を行うことを特徴とする。
【００１８】
第１０の発明は、正面に第１のカメラと第１のマイクを備え、背面に第２のカメラと第２のマイクを備えた携帯端末にあって、前記第１のカメラが選択された場合は前記第１のカメラの出力する画像データと前記第１のマイクの出力する音声アナログ信号を選択し前記第２のカメラが選択された場合は前記第２のカメラの出力する画像データと前記第２のマイクの出力する音声アナログ信号を選択するデータ選択手段と、選択された前記画像データ及び前記音声アナログ信号を無線出力する送信手段とを含んで構成されることを特徴とする。
【００１９】
第１１の発明は、第１０の発明の前記携帯端末はカメラ設定情報とマイク設定情報を有し、前記データ選択手段は、前記カメラ設定情報が正面側を示している場合は前記第１のカメラの出力する画像データを選択し前記カメラ設定情報が背面側を示している場合は前記第２のカメラの出力する画像データを選択し前記マイク設定情報が正面側を示している場合は前記第１のマイクの出力する音声アナログ信号を選択し前記マイク設定情報が背面側を示している場合は前記第２のマイクの出力する音声アナログ信号を選択することを特徴とする。
【００２０】
第１２の発明は、第１０の発明の前記携帯端末は前記正面に第１のライトを備え、前記背面に第２のライトを備え、前記携帯端末の制御部は、前記第１のカメラが選択された場合は前記第１のライトを点灯させ前記第２のカメラが選択された場合は前記第２のライトを点灯させるライト点灯手段とを含んで構成されることを特徴とする。
【００２１】
第１３の発明は、第１０又は１１又は１２の発明にあって、前記第１のカメラが取り込んだ画像のディジタル信号処理を行う第１のＤＳＰと前記第２のカメラが取り込んだ画像のディジタル信号処理を行う第２のＤＳＰとを備え、前記データ選択手段は、前記第１のＤＳＰを介して前記第１のカメラが取り込んだ画像の前記画像データを取得し、前記第２のＤＳＰを介して前記第２のカメラが取り込んだ画像の前記画像データを取得することを特徴とする。
【００２２】
第１４の発明は、第１０の発明の前記携帯端末は、カメラ設定情報を設定する手段を有し、前記カメラ設定情報に基づいて前記第１または第２のカメラが選択されることを特徴とする。
【００２３】
第１５の発明は、第１１の発明の前記カメラ設定情報及び前記マイク設定情報は、前記携帯端末のメモリに設定されていることを特徴とする。
【００２４】
第１６の発明は、第１３の発明にあって、前記制御部は前記第１のカメラが選択された場合は前記第１のＤＳＰと前記第１のカメラを起動して前記第２のＤＳＰと前記第２のカメラを起動せず、前記第２のカメラが選択された場合は前記第２のＤＳＰと前記第２のカメラを起動して前記第１のＤＳＰと前記第１のカメラを起動しない電源制御手段を有することを特徴とする。
【００２５】
第１７の発明は、第１３の発明の前記第１のＤＳＰと前記第２のＤＳＰは、同一のＤＳＰであることを特徴とする。
【００２６】
第１８の発明は、第１３の発明の前記第１のＤＳＰは、前記第１のカメラが取り込んだ画像のミラー処理を行うことを特徴とする。
【発明の効果】
【００２７】
本発明は、正面側と背面側の両面にカメラを設置した携帯電話機にあって、背面側の周囲音声を通信相手に伝えることが出来る効果がある。その理由は、背面側にもマイクを設置し、背面側の被写体を撮影時は、それに連動して背面側の周囲音声を通信相手に伝えるようにしたからである。
【発明を実施するための最良の形態】
【００２８】
次に、本発明を実施するための最良の形態について図面を参照して詳細に説明する。
【００２９】
図１は本発明に係わるカメラ付携帯電話機を示す外観図であり、ａ）は正面から見た外観図を表し、ｂ）は背面から見た外観図を表す。
【００３０】
図１ａ）において、携帯電話機１は、第１のカメラ２、第１のマイク３、レシーバ４、キー操作部５、及び表示部６を有している。ここで、第１のカメラ２は、正面方向の動画撮影や静止画撮影に使用するカメラである。また、第１のマイク３は、自分の音声を集音するためのマイクである。また、レシーバ４は、通常の音声通話にて接話（ユーザーが耳を近づける状態）する際に相手の音声を出力するためのものである。また、キー操作部５は、携帯電話機１を操作するためのである。そして、表示部６は、様々な情報を表示するためのである。
【００３１】
次に、図１ｂ）において、携帯電話機１は、第２のカメラ１１、第２のマイク１２を有している。第２のカメラ１１は、背面に設置された背面方向の動画撮影や静止画撮影に使用するカメラである。また、第２のマイク１２は、背面方向の音声を集音するためのマイクである。
【００３２】
図２は、本実施の最良の形態を示すブロック図である。
【００３３】
制御部２０１には各信号を経由して各ブロックが接続されている。
【００３４】
制御部２０１は、電源制御信号ｃａｍ＿ＰＳ１を、第１のカメラ２と第１のＤＳＰ２０７へ出力している。また、第１のカメラ２より出力される信号が第１のＤＳＰ２０７へ入力され、第１のＤＳＰ２０７にて画像処理される。第１のＤＳＰ２０７にて画像処理されたデータｃａｍ＿ｄａｔａ１は、制御部２０１へ入力されている。カメラ用電源２０２は、第１のカメラ２及び第２のカメラ１１に接続され、常にそれらに電源を供給をしている。（注；ＤＳＰとは、Ｄｉｇｉｔａｌ  Ｓｉｇｎａｌ  Ｐｒｏｃｅｓｓｏｒの略称である。）
第２のカメラ１１に対しても同様に、制御部２０１は、電源制御信号ｃａｍ＿ＰＳ２を、第２のカメラ１１と第２のＤＳＰ２０８へ出力している。また、第２のカメラ１１より信号が第２のＤＳＰ２０８へ入力され、第２のＤＳＰ２０８にて画像処理される。第２のＤＳＰ２０８にて画像処理されたデータｃａｍ＿ｄａｔａ２は、制御部２０１へ入力されている。
【００３５】
第１のマイク３から出力される音声アナログ信号ＭＩＣｉｎ１、及び第２のマイク１２から出力される音声アナログ信号ＭＩＣｉｎ２が、制御部２０１に入力されている。
【００３６】
また、キー操作部５、及び表示部６が制御部２０２に接続されている。
【００３７】
次に、本発明を実施するための最良の形態の制御部２０１の動作について図３のフローチャートを参照して詳細に説明する。
【００３８】
ステップ３０２において、制御部２０１は、カメラ設定読出手段（図示せず、なお以降は、他の手段も特に図示はしない）により、カメラ設定情報をメモリ２０４から読み出し、判定する。このカメラ設定情報は、カメラ及びマイクについて正面側或いは背面側のどちらが有効であるかを示す情報である。
【００３９】
尚、利用者はカメラを使用する時に、このカメラ設定情報をメモリ２０４に設定する必要がある。制御部２０１は、カメラ設定情報が正面側を示している場合は、正面側のカメラ及びマイクを有効にし、カメラ設定情報が背面側を示している場合は、背面側のカメラ及びマイクを有効にする。カメラ設定情報の設定方法は、あらかじめ設定キーを決めておく方法でも良いし、コマンド入力方法であってもよい。
【００４０】
ステップ３０２において、カメラ設定情報が、正面側となっている場合は、主にユーザーが自身を撮影したい場合であり、ステップ３０３へ進む。ステップ３０３では、制御部２０１は、電源制御手段により第１のカメラ２の電源制御信号ｃａｍ＿ＰＳ１をＯＮし、第１のカメラ２と第１のＤＳＰ２０７を起動させる。このとき、カメラ用電源２０２は第１のカメラ２、及び第２のカメラ１１に接続され、常に電源供給をしている。
【００４１】
電源制御信号ｃａｍ＿ＰＳ１を設けているのは、第１のカメラ２を使用しないときに電源制御信号ｃａｍ＿ＰＳ１をＯＦＦすることにより省電力化を可能とするためである。
【００４２】
ステップ３０４では、制御部２０１はデータ選択手段により、どちらのカメラのデータを有効とするかを決定する。この場合は、制御部２０１は、カメラ設定情報が正面側設定であるので第１のＤＳＰ２０７より出力されるｃａｍ＿ｄａｔａ１を有効とする。
【００４３】
また、音声アナログ信号についても、制御部２０１はデータ選択手段によりＭＩＣｉｎ１、ＭＩＣｉｎ２のどちらを有効にするかを決定する。この場合も、制御部２０１は、カメラ設定情報が正面側設定のため、第１のマイク３の出力する音声アナログ信号ＭＩＣｉｎ１を有効とする。
【００４４】
ステップ３０７では、制御部２０１はデータ表示手段により、ステップ３０４にて有効としたｃａｍ＿ｄａｔａ１のカメラのデータを表示部６に表示させる。
【００４５】
このとき、ユーザーは、第１のカメラ２の撮影状況を表示部６にて確認しながら、撮影することができる。
【００４６】
ステップ３０８にて、制御部２０１は現在通話中であるかを判別し、「通話中」で有れば、ステップ３０９へ進む。ステップ３０９にて、制御部２０１は送信手段によりｃａｍ＿ｄａｔａ１及びＭＩＣｉｎ１をＩ／Ｑ信号に変換し（直交変調方式の場合）、無線部２０５へ出力する。そして、Ｉ／Ｑ信号は、無線部２０５にて変調され、アンテナ２０６からエアーへ送信される。
【００４７】
これにより、通話中の相手方へ、ユーザーの写った画像と音声が送出される。
【００４８】
ステップ３０８にて「通話中ではない」場合は、制御部２０１は、ｃａｍ＿ｄａｔａ１及びＭＩＣｉｎ１を保存用のデータフォーマットに変換して、メモリ２０４へ保存する。
【００４９】
これにより、ユーザーが撮影した動画や静止画を、後で見ることができる。
【００５０】
次に、ステップ３０２において、カメラ設定情報が背面側設定となっている場合について説明する。
【００５１】
ステップ３０２で、カメラ設定情報が背面側設定のときは、主にユーザーが周囲の映像を撮影したい場合で、ステップ３０５へ進む。ステップ３０５では、制御部２０１は電源制御手段により第２のカメラ１１の電源制御信号ｃａｍ＿ＰＳ２をＯＮし、第２のカメラ１１と第２のＤＳＰ２０８を起動させる。電源制御信号ｃａｍ＿ＰＳ２の制御信号を設けているのは、第２のカメラ１１を使用しないときにｃａｍ＿ＰＳ２をＯＦＦすることにより省電力化を可能とするためである。
【００５２】
ステップ３０６では、制御部２０１はデータ選択手段により、どちらのカメラのデータを有効とするかを決定する。この場合は、カメラ設定情報が背面側設定であるので、制御部２０１は第２のＤＳＰ２０８よりデータ出力されるｃａｍ＿ｄａｔａ２を有効とする。
【００５３】
また、音声アナログ信号についても、制御部２０１はＭＩＣｉｎ１、ＭＩＣｉｎ２のどちらを有効にするかを決定する。この場合は、カメラ設定情報が背面側設定のため、制御部２０１は第２のマイク６の出力する音声アナログ信号ＭＩＣｉｎ２を有効とする。
【００５４】
ステップ３０７では、制御部２０１はデータ表示手段によりステップ３０４にて有効としたｃａｍ＿ｄａｔａ２のカメラのデータを表示部６に表示させる。
【００５５】
このとき、ユーザーは、第２のカメラ１１の撮影状況を表示部６にて確認しながら、撮影することができる。
【００５６】
ステップ３０８にて、制御部２０１は現在通話中であるかを判別し「通話中」で有れば、ステップ３０９へ進む。ステップ３０９にて、制御部２０１は送信手段によりｃａｍ＿ｄａｔａ２及びＭＩＣｉｎ２をＩ／Ｑ信号に変換し（直交変調方式の場合）、無線部２０５へ出力する。Ｉ／Ｑ信号は、無線部２０５にて変調され、アンテナ２０６からエアーへ送信される。
【００５７】
これにより、制御部２０１は通話中の相手方へ、ユーザーが撮影した周囲画像と周囲の音声を送出することができる。
【００５８】
ステップ３０８にて「通話中ではない」場合は、制御部２０１は、ｃａｍ＿ｄａｔａ２及びＭＩＣｉｎ２を保存用のデータフォーマットに変換して、メモリ２０４へ保存する。
【００５９】
これによりユーザーは、撮影した動画や静止画を後で見ることができる。
【００６０】
次に、本発明を実施するための第２の形態の制御部２０１の動作について図４のフローチャートを参照して詳細に説明する。
【００６１】
図３と異なる箇所が、ステップ４０１〜４０６である。
【００６２】
第２の形態では、カメラとマイクそれぞれについて、正面側と背面側のどちらを有効にするかを、メモリ２０４に個別設定が出来るようになっている。ステップ４０１では、制御部２０１はカメラ設定読出手段により、カメラについて正面側、或いは背面側のどちらが有効であるかを示すカメラ設定情報をメモリ２０４から読み出し判定する。
【００６３】
ステップ４０１において、カメラ設定情報が正面側となっている場合は、主にユーザーが自身を撮影したい場合で、ステップ３０３へ進む。ステップ３０３で、制御部２０１は電源制御手段により、第１のカメラ２の電源制御信号ｃａｍ＿ＰＳ１をＯＮし、第１のカメラ２を起動させる。このとき、カメラ用電源２０２は第１のカメラ２、及び第２のカメラ１１に接続され、常に電源供給をしている。電源制御信号ｃａｍ＿ＰＳ１の制御信号を設けているのは、第１のカメラ２を使用しないときにｃａｍ＿ＰＳ１をＯＦＦすることにより省電力化を可能とするためである。
【００６４】
ステップ４０２では、制御部２０１はデータ選択手段により、どちらのカメラのデータを有効とするかを決定する。この場合は、カメラ設定情報が正面側設定であるので、制御部２０１は第１のＤＳＰ２０７より出力されるｃａｍ＿ｄａｔａ１を有効とする。
【００６５】
一方、ステップ４０１において、カメラ設定情報が背面側のときは、主にユーザーが周囲の映像を撮影したい場合で、ステップ３０５へ進む。ステップ３０５で、制御部２０１は電源制御手段により、第２のカメラ１１の電源制御信号ｃａｍ＿ＰＳ２をＯＮし、第２のカメラ１１を起動させる。このとき、カメラ用電源２０２は第１のカメラ２、及び第２のカメラ１１に接続され、常に電源供給をしている。
【００６６】
電源制御信号ｃａｍ＿ＰＳ２の制御信号を設けているのは、第２のカメラ１１を使用しないときにｃａｍ＿ＰＳ２をＯＦＦすることにより省電力化を可能とするためである。
【００６７】
ステップ４０３では、制御部２０１はデータ選択手段により、どちらのカメラのデータを有効とするかを決定する。この場合は、カメラ設定情報が背面側設定であるので制御部２０１は第２のＤＳＰ２０８よりデータ出力されるｃａｍ＿ｄａｔａ２を有効とする。
【００６８】
ステップ４０４では、制御部２０１はマイク設定読出手段により、マイクについて正面側、背面側のどちらが有効であるかを示すマイク設定情報をメモリ２０４から読み出し判定する。
【００６９】
なお、マイク設定情報についても、カメラ設定情報と同様、利用者はカメラを使用する時に、このマイク設定情報をメモリ２０４に設定する必要がある。
【００７０】
ステップ４０４において、マイク設定情報が正面側となっている場合は、ステップ４０５に進む。この場合は、主にユーザーが自身の音声を録音／送信したい場合でである。ステップ４０５では、制御部２０１はデータ選択手段により、どちらのマイクの音声アナログ信号を有効とするかを決定する。この場合は、マイク設定情報が正面側設定であるので、第１のマイク３から入力されるＭＩＣｉｎ１を有効とする。
【００７１】
一方、ステップ４０４において、マイク設定情報が背面側設定となっている場合は、ステップ４０６に進む。この場合は、主にユーザーが周囲の音声を録音／送信したい場合である。ステップ４０６では、制御部２０１はデータ選択手段により、どちらのマイクの音声アナログ信号を有効とするかを決定する。この場合は、マイク設定情報が背面側設定であるので、第２のマイク１２から入力されるＭＩＣｉｎ２を有効とする。
【００７２】
ステップ３０７では、制御部２０１はデータ表示手段によりステップ４０２（ステップ４０３）にて有効としたｃａｍ＿ｄａｔａ１（ｃａｍ＿ｄａｔａ２）を表示部６に画像表示させる。
【００７３】
このとき、ユーザーは、第１のカメラ２（第２のカメラ１２）の撮影状況を表示部６にて確認しながら、撮影することができる。
【００７４】
ステップ３０８にて、制御部２０１は現在通話中であるかを判別し「通話中」で有れば、ステップ３０９へ進む。ステップ３０９では、制御部２０１は送信手段によりｃａｍ＿ｄａｔａ１（ｃａｍ＿ｄａｔａ２）及びＭＩＣｉｎ１（ＭＩＣｉｎ２）をＩ／Ｑ信号に変換し（直交変調方式の場合）、無線部２０５へ出力する。Ｉ／Ｑ信号は、無線部２０５にて変調され、アンテナ２０６からエアーへ送信される。
【００７５】
これにより、ユーザは、使用するカメラ、マイクを正面側／背面側のどちらかをそれぞれ自由に選択できる。その結果、ユーザは、例えば、第２のカメラ１２（背面側のカメラ）で周囲を撮影すると同時に、第１のマイク３（正面側のマイク）のユーザー音声を相手に送出することが出来るようになる。又、逆も可能である。
【００７６】
ステップ３０８にて「通話中ではない」場合は、制御部２０１は、ｃａｍ＿ｄａｔａ１（ｃａｍ＿ｄａｔａ２）及びＭＩＣｉｎ１（ＭＩＣｉｎ２）を保存用のデータフォーマットに変換して、メモリ２０４へ保存する。
【００７７】
これにより、ユーザーは、撮影した動画や静止画を後で見ることができる。
【００７８】
この場合、例えば、第２のカメラ１２（背面側のカメラ）で撮影した周囲の風景と、第１のマイク３（正面側のマイク）からのユーザー音声を、動画保存をすることができる。
【００７９】
次に、図５は本実施の第３の形態を示すブロック図である。また、図６は本実施の第３の形態の制御部２０１の動作を示すフローチャートである。
【００８０】
図５において、図２との構成上の相違点は、図５内の点線部分のみである。この場合、第１のＤＳＰ２０７と第２のＤＳＰ２０８を共通化したＤＳＰ２０９を搭載している。
【００８１】
ＤＳＰ２０９は、第１のカメラ２、及び第２のカメラ１１の出力するカメラのデータを入力し、画像処理をしてｃａｍ＿ｄａｔａとして制御部２０１へ出力する。
【００８２】
図６において、図３との動作フロー上の相違点は、点線部分のみである。
【００８３】
ステップ６０１では、第１のカメラ２を起動した状態での動作であり、ＤＳＰ２０９において第１のカメラ２の出力するデータを画像データｃａｍ＿ｄａｔａとして制御部２０１へ出力する。
【００８４】
ステップ６０２では、第２のカメラ１１を起動した状態での動作であり、ＤＳＰ２０９において第２のカメラ１１の出力するデータを画像データｃａｍ＿ｄａｔａとして制御部２０１へ出力する。
【００８５】
本実施の第３の形態では、２つのＤＳＰを共通化して、１つのＤＳＰにて実現することにより、部品コストの削減、実装した際の面積削減をはかることができる。
【００８６】
次に、本実施の第４の形態では、図２の第１のＤＳＰ２０７において、「ミラー処理」を行い、カメラの映像を左右反転させることを特徴とする。
【００８７】
図３のステップ３０４においては、第１のカメラ２を使用しているため、正面側のカメラが有効になっている。
【００８８】
この時、ステップ３０７では、制御部２０１は第１のＤＳＰ２０７において「ミラー処理」を行い、カメラの映像を左右反転させるよう画像処理を実施して、表示部６で表示させる。
【００８９】
この場合、表示部６での画像は、ユーザーが自身を鏡を見ているように表示される。
【００９０】
以上の実施の形態では、カメラとマイクの動作を関連づけて説明した。次に、近年、携帯電話機に装備されているカメラ用ライト（フラッシュ機能）とカメラとの動作を関連づけて説明する。
【００９１】
図７は、本実施の第５の形態のカメラ付携帯電話機を示す外観図であり、ａ）は正面から見た外観図を表し、ｂ）は背面から見た外観図を表す。
【００９２】
図７ａ）において、携帯電話機１は、第１のカメラ２、第１のマイク３、レシーバ４、キー操作部５、表示部６及び第１のライト７を有している。ここで、第１のカメラ２は、正面方向の動画撮影や静止画撮影に使用するカメラである。また、第１のマイク３は、自分の音声を集音するためのマイクである。また、レシーバ４は、通常の音声通話にて接話（ユーザーが耳を近づける状態）する際に相手の音声を出力するためのものである。また、キー操作部５は、携帯電話機１を操作するためのである。また、表示部６は、様々な情報を表示するためものである。そして、第１のライト７は、暗所でのカメラ撮影の際に周囲へ照光するためのものである。
【００９３】
図１ｂ）において、携帯電話機１は、第２のカメラ１１、第２のマイク１２そして第２のライト１３を有している。第２のカメラ１１は、背面に設置された背面方向の動画撮影や静止画撮影に使用するカメラである。また、第２のマイク１２は、背面方向の音声を集音するためのマイクである。また、第２のライト１３は、暗所でのカメラ撮影の際に周囲へ照光するためのものである。
【００９４】
図８は、本実施の第５の形態を示すブロック図である。
【００９５】
本ブロック図において、第１のライト７、第２のライト１３と制御部２０１との関係を除いては、図２と同等のため、説明は省略する。
【００９６】
第１のライト７へは照光をオン／オフするための制御信号ｌｉｇｈｔ１が制御部２０１より出力される。
【００９７】
また、第２のライト１３へは照光オン／オフするための制御信号ｌｉｇｈｔ２が制御部２０１より出力される。
【００９８】
次に、本発明の動作説明については、図９のフローチャートを中心に説明する。
ステップ３０２において、制御部２０１はカメラ設定読出手段により、カメラ設定情報をメモリ２０４から読み出し、判定する。このカメラ設定情報は、カメラ及びマイクについて正面側或いは背面側のどちらが有効であるかを示す情報である。
【００９９】
カメラ設定情報が正面側設定となっている場合は、主にユーザーが自身を撮影したい場合で、ステップ３０３へ進む。ステップ３０３で、制御部２０１は第１のカメラ２の電源制御信号ｃａｍ＿ＰＳ１をＯＮし、第１のカメラ２と第１のＤＳＰ２０７を起動させる。このとき、カメラ用電源２０２は第１のカメラ２、及び第２のカメラ１１に接続され、常に電源供給をしている。ｃａｍ＿ＰＳ１の制御信号を設けているのは、第１のカメラ２を使用しないときにｃａｍ＿ＰＳ１をＯＦＦすることにより省電力化を可能とするためである。
【０１００】
ステップ３０４では、制御部２０１はデータ選択手段により、どちらのカメラのデータを有効とするかを決定する。この場合は、制御部２０１は、カメラ設定情報が正面側設定であるので第１のＤＳＰ２０７より出力されるｃａｍ＿ｄａｔａ１を有効とする。
【０１０１】
また、音声アナログ信号についても、制御部２０１はデータ選択手段によりＭＩＣｉｎ１、ＭＩＣｉｎ２のどちらを有効にするかを決定する。この場合も、制御部２０１は、カメラ設定情報が正面側設定のため、第１のマイク３の出力する音声アナログ信号ＭＩＣｉｎ１を有効とする。
【０１０２】
ステップ９０１にて、制御部２０１はカメラ設定読出手段により、カメラライト設定のＯＮ／ＯＦＦ状態を示すカメラライトＯＮ／ＯＦＦ情報をメモリ２０４から読み出し、判定する。
【０１０３】
ステップ９０１にて、カメラライトＯＮ／ＯＦＦ情報が、ＯＦＦ状態であれば、ステップ３０７へ進み、カメラライトＯＮ／ＯＦＦ情報がＯＮであれば、ステップ９０２へ進む。
【０１０４】
ステップ９０２では、制御部２０１は、カメラ設定読出手段によりカメラが正面側、或いは背面側のどちらが有効であるかを示すカメラ設定情報をメモリ２０４から読み出し、判定する。
【０１０５】
この場合、カメラ設定情報はカメラ正面側設定であるので、制御部２０１はライト点灯手段により制御信号ｌｉｇｈｔ１をＯＮし、第１のライト７を点灯させ、ステップ３０７へ進む。
【０１０６】
ステップ３０７では、制御部２０１は、ステップ３０４にて有効としたｃａｍ＿ｄａｔａ１のカメラのデータを表示部６に表示させる。
【０１０７】
このとき、ユーザーは、第１のカメラ２の撮影状況を表示部６にて確認しながら、撮影することができる。
【０１０８】
ステップ３０８にて、制御部２０１は現在通話中であるかを判別し「通話中」で有れば、ステップ３０９へ進む。ステップ３０９では、ｃａｍ＿ｄａｔａ１及びＭＩＣｉｎ１をＩ／Ｑ信号に変換し（直交変調方式の場合）、無線部２０５へ出力する。Ｉ／Ｑ信号は、無線部２０５にて変調され、アンテナ２０６からエアーへ送信される。
【０１０９】
これにより、通話中の相手方へ、ユーザーの写った画像と音声を送出することができる。特に、カメラライト設定がオンの時は、カメラと連動した方向のライトを点灯させた場合の画像にすることができる。
【０１１０】
ステップ３０８にて「通話中ではない」場合は、制御部２０１はｃａｍ＿ｄａｔａ１及びＭＩＣｉｎ１を保存用のデータフォーマットに変換して、メモリ２０４へ保存する。
【０１１１】
これにより、ユーザーが撮影した動画や静止画を、後で見ることができる。特に、カメラライト設定がオンの時は、保存された動画や静止画は、カメラと連動した方向のライトを点灯させた場合の画像にすることができる。
【０１１２】
ステップ３０２において、カメラ設定情報が背面側設定となっている場合について説明する。
【０１１３】
カメラ設定情報が背面側設定のときは、主にユーザーが周囲の映像を撮影したい場合で、ステップ３０５へ進む。ステップ３０５では、制御部２０１は第２のカメラ１１の電源制御信号ｃａｍ＿ＰＳ２をＯＮし、第２のカメラ１１と第２のＤＳＰ２０８を起動させる。ｃａｍ＿ＰＳ２の制御信号を設けているのは、第２のカメラ１１を使用しないときにｃａｍ＿ＰＳ２をＯＦＦすることにより省電力化を可能とするためである。
【０１１４】
ステップ３０６では、制御部２０１はデータ選択手段により、どちらのカメラのデータを有効とするかを決定する。この場合は、データ選択手段は、カメラ設定情報が背面側設定であるので第２のＤＳＰ２０８よりデータ出力されるｃａｍ＿ｄａｔａ２を有効とする。
【０１１５】
また、音声アナログ信号についても、制御部２０１はデータ選択手段により、ＭＩＣｉｎ１、ＭＩＣｉｎ２のどちらを有効にするかを決定する。この場合は、カメラ設定情報が背面側設定のため、データ選択手段は、第２のマイク６の出力する音声アナログ信号ＭＩＣｉｎ２を有効とする。
【０１１６】
ステップ９０１にて、制御部２０１は、カメラ設定読出手段によりカメラライト設定のＯＮ／ＯＦＦ状態を示すカメラライトＯＮ／ＯＦＦ情報をメモリ２０４から読み出し、判定する。
【０１１７】
カメラライトＯＮ／ＯＦＦ情報が、ＯＦＦ状態であれば、ステップ３０７へ進み、カメラライトＯＮ／ＯＦＦ情報がＯＮであれば、ステップ９０２へ進む。
【０１１８】
ステップ９０２では、制御部２０１は、カメラ設定読出手段によりカメラが正面側、或いは背面側のどちらが有効であるかを示すカメラ設定情報をメモリ２０４から読み出し判定する。
【０１１９】
この場合、カメラ設定情報はカメラ背面側設定であるので、制御部２０１はライト点灯手段により制御信号ｌｉｇｈｔ２をＯＮし、第２のライト１３を点灯させ、ステップ３０７へ進む。
【０１２０】
ステップ３０７では、制御部２０１はステップ３０４にて有効としたｃａｍ＿ｄａｔａ２のカメラのデータを表示部６に表示させる。
【０１２１】
このとき、ユーザーは、第２のカメラ１１の撮影状況を表示部６にて確認しながら、撮影することができる。
【０１２２】
ステップ３０８にて、制御部２０１は現在通話中であるかを判別し「通話中」で有れば、ステップ３０９へ進む。ステップ３０９では、ｃａｍ＿ｄａｔａ２及びＭＩＣｉｎ２をＩ／Ｑ信号に変換し（直交変調方式の場合）、無線部２０５へ出力する。Ｉ／Ｑ信号は、無線部２０５にて変調され、アンテナ２０６からエアーへ送信される。
【０１２３】
これにより、通話中の相手方へ、ユーザーが撮影した周囲画像と周囲の音声を送出することができる。特に、カメラライト設定がオンの時は、カメラと連動した方向のライトを点灯させた場合の画像にすることができる。
【０１２４】
ステップ３０８にて「通話中ではない」場合は、制御部２０１はｃａｍ＿ｄａｔａ２及びＭＩＣｉｎ２を保存用のデータフォーマットに変換して、メモリ２０４へ保存する。
【０１２５】
これによりユーザーが撮影した動画や静止画を、後で見ることができる。特に、カメラライト設定がオンの時は、保存された動画や静止画は、カメラと連動した方向のライトを点灯させた場合の画像にすることができる。
【０１２６】
以上、本発明をカメラ付携帯電話機に適用した場合の実施の形態を示した。本発明は、これに限定されるものではなく、ＰＨＳ（パーソナルハンディシステム）や携帯用パソコンなどにおいても、同等に適用できることは言うまでもない。
【図面の簡単な説明】
【０１２７】
【図１】本実施の最良の形態のカメラ付携帯電話機を示す外観図であり、ａ）は正面から見た外観図を表し、ｂ）は背面から見た外観図を表す。
【図２】本実施の最良の形態を示すブロック図である。
【図３】本発明を実施するための最良の形態の制御部２０１の動作を示すフローチャートである。
【図４】本発明を実施するための第２の形態の制御部２０１の動作を示すフローチャートである。
【図５】本実施の第３の形態を示すブロック図である。
【図６】本発明を実施するための第３の形態の制御部２０１の動作を示すフローチャートである。
【図７】本実施の第５の形態のカメラ付携帯電話機を示す外観図であり、ａ）は正面から見た外観図を表し、ｂ）は背面から見た外観図を表す。
【図８】本実施の第５の形態を示すブロック図である。
【図９】本発明を実施するための第５の形態の制御部２０１の動作を示すフローチャートである。
【符号の説明】
【０１２８】
１    携帯電話機
２    第１のカメラ
３    第１のマイク
４    レシーバ
５    キー操作部
６    表示部
７    第１のライト
１１    第２のカメラ
１２    第２のマイク
１３    第２のライト
２０１    制御部
２０２    カメラ用電源
２０４    メモリ
２０５    無線部
２０６    アンテナ
２０７    第１のＤＳＰ
２０８    第２のＤＳＰ
２０９    ＤＳＰ
【図１】
2005311953.tif 000003
【図２】
2005311953.tif 000004
【図３】
2005311953.tif 000005
【図４】
2005311953.tif 000006
【図５】
2005311953.tif 000007
【図６】
2005311953.tif 000008
【図７】
2005311953.tif 000009
【図８】
2005311953.tif 000010
【図９】
2005311953.tif 000011